(57)【特許請求の範囲】
【請求項１】
一方が少なくとも表示光に対して透明性を有する、対をなす第１基板と第２基板とが相対向するように配置され、前記第１基板における前記第２基板との対向面に走査電極が形成され、且つ前記第２基板における前記第１基板との対向面に信号電極が形成され、前記両基板が電気光学材料層を挟持してなる表示パネルの、互いに隣接する２つの側縁部のうち、一方の前記側縁部に、前記第１基板が前記第２基板の周縁より側方へ突出する第１突出部を有し、且つ他方の前記側縁部に、前記第２基板が前記第１基板の周縁より側方へ突出する第２突出部を有するとともに、前記第１突出部における前記第２基板との対向面に前記走査電極の端子部が形成され、前記第２突出部における前記第１基板との対向面に前記信号電極の端子部が形成された、表示装置であって、
前記第１突出部および前記第２突出部に１つのフレキシブルプリント配線板の出力側端子部が分岐して接続され、いずれか一方の前記突出部と前記フレキシブルプリント配線板の前記出力側端子部との間に、ドライバＩＣを実装したテープキャリアパッケージが介在され、
前記フレキシブルプリント配線板は、フレキシブルプリント基板と当該フレキシブルプリント基板の同一表面側に形成された配線パターンとを備えるとともに、前記テープキャリアパッケージは、ベース基材と当該ベース基材の同一表面側に形成された出力側配線および入力側配線を備え、
前記走査電極の端子部または前記信号電極の端子部のいずれか一方が前記テープキャリアパッケージの出力側配線に接続され、前記フレキシブルプリント配線板の出力側端子部の分岐した一方が前記テープキャリアパッケージの出力側配線に接続され、前記フレキシブルプリント配線板の出力側端子部の分岐した他方が前記テープキャリアパッケージが介在していない側の前記走査電極の端子部または前記信号電極の端子部のいずれか一方に接続されていることを特徴とする表示装置。
【請求項２】
前記フレキシブルプリント配線板の前記出力側端子部は、前記テープキャリアパッケージの周縁部における、他方の前記突出部に近接する部分に、接続されていることを特徴とする請求項１記載の表示装置。
【請求項３】
前記フレキシブルプリント配線板の入力側端子部は、プリント基板に接続されていることを特徴とする請求項１または請求項２に記載の表示装置。
【請求項４】
前記テープキャリアパッケージおよび前記フレキシブルプリント配線板を所定の箇所で撓ませて前記プリント基板を前記表示パネルの後方に配置したことを特徴とする請求項３に記載の表示装置。
【請求項５】
前記電気光学材料層は、液晶層であることを特徴とする請求項１ないし請求項４のいずれかに記載の表示装置。
【請求項６】
請求項１ないし請求項５のいずれかに記載の表示装置と、当該表示装置に信号入力を行う入力部とを備え、前記表示パネルが筐体内に収納され、前記筐体に前記表示パネルの表示領域全体を露呈させる開口部が形成されることを特徴とする電子機器。
【発明の詳細な説明】
【０００１】
【発明の属する技術分野】
本発明は、例えば液晶表示装置、ＥＬ（エレクトロルミネッセンス）表示装置などのフラットパネル型の表示装置に関する。また、本発明は、表示装置を備える電子機器に係る。
【０００２】
【従来の技術】
近年、表示装置は、携帯機器、家庭、オフィス・工場、自動車などの情報表示端末として広く用いられている。特に、液晶表示装置は、薄型、軽量、低電圧、低消費電力などの特徴を有している。液晶表示装置は現在、未来を含めて電子ディスプレイの中心的存在であり、低消費電力を生かしてＰＤＡ（個人携帯情報端末）などへの応用が益々盛んになっている。
【０００３】
従来の液晶表示装置としては、図４に示すような、例えばパッシブマトリクス駆動方式の液晶表示装置１がある。この液晶表示装置１は、液晶表示パネル２とプリント基板３とから大略構成されている。液晶表示パネル２とプリント基板３とは、２つのフレキシブルプリント配線板４、５を介して電気的に接続されている。
【０００４】
液晶表示パネル２は、相対向して配置された一対のガラス基板６、７を有している。これらガラス基板６、７の間には、表示領域を周回するように介在された図示しないシール材が配置されている。そして、これらガラス基板６、７とシール材とで形成される間隙には、液晶が封止されている。ガラス基板６の対向内側面（ガラス基板７と対向する面）には、複数の信号電極８が平行をなすように形成されている。一方、ガラス基板７の対向内側面（ガラス基板６と対向する面）には、上記した信号電極８と直交する方向に沿って複数の走査電極９が形成されている。
【０００５】
液晶表示パネル２の所定の側縁部（図４において下側縁部）においては、ガラス基板６の縁部がガラス基板７の縁部より側方（図中、下側）へ突出するように設定されている。また、液晶表示パネル２の上記した側縁部に隣接する側縁部（図中、左側縁部）においては、他方のガラス基板７の縁部が一方のガラス基板６の縁部より側方へ突出するように設定されている。そして、ガラス基板６の対向内側面における突出領域６Ａには、信号用ドライバＩＣ１０、１１がＣＯＧ（Chip On Glass）実装されている。これらの信号用ドライバＩＣ１０、１１は、上記した複数の信号電極８が延在された出力端子部８Ａと、突出領域６Ａの縁部側に配置・形成された入力端子部１２とに接続されている。また、ガラス基板７の対向内側面における突出領域７Ａには、走査用ドライバＩＣ１３がＣＯＧ実装されている。この走査用ドライバＩＣ１３は、上記した複数の走査電極９が延在された出力端子部９Ａと、突出領域７Ａの縁部側に配置・形成された入力端子部１４とに接続されている。
【０００６】
そして、上記したフレキシブルプリント配線板４の出力側端子部分４Ａは、ガラス基板６の突出領域６Ａの長辺部に沿って配置・形成された複数の入力端子部１２に対して電気的に接続するように、異方性導電フィルム（ＡＣＦ：Anisotropic Conductive Film）を介して接合されている。また、同様に、上記した別のフレキシブルプリント配線板５の出力側端子部分５Ａは、ガラス基板７の突出領域７Ａの長辺部に沿って配置・形成された複数の入力端子部１４に対して電気的に接続するように、異方性導電フィルムを介して接合されている。そして、フレキシブルプリント配線板４の入力側端子部４Ｂは、プリント基板３に形成された出力端子部１５に異方性導電フィルムを介して接合されている。また、フレキシブルプリント配線板５の入力側端子部分５Ｂは、プリント基板３に形成された出力端子部１６に異方性導電フィルムを介して接合されている。なお、プリント基板３には、所定の配線が形成されるとともに、液晶表示パネル２を制御・駆動するための各種の電子部品が搭載されている。
【０００７】
上記した構成の液晶表示装置を用いた電子機器としては、例えばキーボードやテンキーなどの入力部を備え、入力部への入力操作に応じて液晶表示パネルでデータの表示を行なうものがある。このような電子機器においては、液晶表示パネルとプリント基板とがシャーシ（パネル収納枠）に組み込まれている。このとき、プリント基板が液晶表示パネルの後方側に配置されるように、２つのフレキシブルプリント配線板が曲げ込まれている。
【０００８】
【発明が解決しようとする課題】
しかしながら、上記したような液晶表示装置やそれを用いた電子機器では、軽量・薄型化を図って携帯性を追求するに伴って液晶表示パネルの表示領域が小さくなり、視認性を低下させるという結果を招いている。携帯電話や携帯性を重視したポケットサイズのパーソナルコンピュータなどの携帯用情報機器では、特に筺体の幅寸法や、表示領域外側の枠部分の幅寸法の縮小化が限界まで進められている。このように、筺体の外形寸法をわずかに縮小させることによって、表示パネルの小型化が余儀なくされている。これに伴い、液晶表示パネルの表示領域は狭くなり、表示情報量の減少や、表示される文字が見にくくなるという問題を来している。
【０００９】
図４に示すように、上記した構成の液晶表示装置１では、ガラス基板７の突出領域７Ａが幅方向（同図中左側）に存在し、この突出領域７Ａに、走査用ドライバＩＣ１３を実装するための幅寸法ｘ１と、フレキシブルプリント配線板５の出力側端子部５Ａを貼り合わせるための所定の接合代ｘ２と、走査用ドライバＩＣ１３およびフレキシブルプリント配線板５の出力側端子部分５Ａを離間させる寸法ｘ３とを、確保する必要がある。このため、液晶表示パネル２の幅寸法が短くなるに従って、液晶表示パネル２の全面に対する表示領域の占める面積比率がより小さくなるという問題がある。
【００１０】
また、このような液晶表示パネルにおける突出領域に起因する問題は、液晶表示装置やそれを用いた電子機器の小型化を図る場合に限られるものではない。すなわち、比較的大型の液晶表示装置を備えた電子機器においても、液晶表示パネルの表示領域外側の枠部分の幅寸法の縮小を図って、表示装置を収納するシャーシなどの筺体における表示面積を最大限に拡大することが要望されている。
【００１１】
さらに、上記した液晶表示装置１では、信号用ドライバＩＣ１０、１１が実装されたガラス基板６の突出領域６Ａに接合させるフレキシブルプリント配線板４と、走査用ドライバＩＣ１３が実装されたガラス基板７の突出領域７Ａに接合させるフレキシブルプリント配線板５とを、それぞれ独立にプリント基板３に接合させる必要がある。このため、モジュール工程が繁雑になり利便性を欠くという問題を有している。また、それぞれのフレキシブルプリント配線板４、５を別々にプリント基板３に接合するため、プリント基板３に配置・形成する出力端子部１５、１６どうしが近接し過ぎることは好ましくない。すなわち、実装機を用いてフレキシブルプリント配線板４、５をプリント基板３へ接合させる際に、フレキシブルプリント配線板どうしが互いに干渉しないだけの距離を確保する必要がある。このように、複数（２つ）のフレキシブルプリント配線板を用いることが、プリント基板３の小型化を阻む要因となっている。
【００１２】
そこで、この発明が課題しようとする課題は、端子接続プロセスを簡単するとともに、表示領域の占有面積を拡大できる表示装置を得るにはどのような手段を講じればよいかという点にある。また、この発明が解決しようとする他の課題は、モジュール工程が簡単で、視認性の高い表示が行える電子機器を得るにはどのような手段を講じればよいかという点にある。
【００１３】
【課題を解決するための手段】
本発明は、一方が少なくとも表示光に対して透明性を有する、対をなす第１基板と第２基板とが相対向するように配置され、第１基板における第２基板との対向面に走査電極が形成され、且つ第２基板における第１基板との対向面に信号電極が形成され、両基板が電気光学材料層を挟持してなる表示パネルの、互いに隣接する２つの側縁部のうち、一方の側縁部に、第１基板が前記第２基板の周縁より側方へ突出する第１突出部を有し、且つ他方の側縁部に、第２基板が第１基板の周縁より側方へ突出する第２突出部を有するとともに、第１突出部に走査電極の端子部が形成され、第２突出部に信号電極の端子部が形成された、表示装置であって、第１突出部および第２突出部に１つのフレキシブルプリント配線板の出力側端子部が分岐して接続され、少なくとも一方の突出部とフレキシブルプリント配線板の出力側端子部との間に、ドライバＩＣを実装したテープキャリアパッケージが介在されていることを特徴とする。
【００１４】
このような構成の本発明では、第１基板および第２基板のうち少なくとも一方の突出部にテープキャリアパッケージが接合されている。そして、テープキャリアパッケージと、他方の基板の突出部とにフレキシブルプリント配線板が分岐して接続されている。この結果、第１突出部および第２突出部のうち少なくとも一方の突出部には、ドライバＩＣを搭載する必要がなく、走査電極または信号電極の端子部が配置されていればよい。このため、テープキャリアパッケージが接合される少なくとも一方の突出部の突出寸法を短くすることができる。
【００１５】
このような構成の本発明によれば、少なくとも一方の突出部の突出寸法を短くすることにより、表示パネル全体に対する表示領域の占める面積比率を大きくすることができる。このように表示領域の面積比率を大きくすることにより、表示パネルを収納する筺体（シャーシ）の表示開口部を取り囲む表示枠部分の幅寸法を短くすることができ、表示の視認性を高めることができる。また、本発明によれば、フレキシブルプリント配線板を、表示パネルの一方向（ｘ方向またはｙ方向）から接合させるものであるため、端子接続プロセスを簡単にできるという効果を有する。さらに、本発明によれば、１つのフレキシブルプリント配線板を用いて、２つの基板に形成された走査電極と信号電極とに接続が可能となるため、フレキシブルプリント配線板の利便性を高めるという効果を有する。本発明は、このようなフレキシブルプリント配線板を用いることにより、表示装置を電子機器に組み込むモジュール工程を簡略化できるという効果を有する。
【００１６】
また、本発明は、フレキシブルプリント基板の出力側端子部が、テープキャリアパッケージの周縁部における、他方の突出部に近接する部分に、接続されていることを特徴とする。
【００１７】
このような構成の本発明によれば、フレキシブルプリント配線板が、表示パネルの相隣接する２つの側縁部のうち少なくとも一方に接合されたテープキャリアパッケージと他方の側縁部側とに、Ｘ方向およびＹ方向の双方向から接合するのではなく、Ｘ方向またはＹ方向の一方向側から接合させればよいため、フレキシブルプリント配線板の利便性を向上することができる。
【００１８】
さらに、本発明は、他方の突出部とフレキシブルプリント配線板の出力側端子部との間には、ドライバＩＣを実装したテープキャリアパッケージが介在されていることを特徴とする。このような構成によれば、他方の突出部の突出寸法を短くすることができ、表示パネル全体に対する表示領域の面積比率をより向上することができる。
【００１９】
また、本発明は、フレキシブルプリント配線板の入力側端子部が、プリント基板に接続されていることを特徴とする。
【００２０】
このような構成の本発明では、２つの基板の突出部の電極端子部に接続されたフレキシブルプリント配線板の出力側端子部を、プリント基板の一カ所で接合することができる。このため、本発明によれば、フレキシブルプリント配線板とプリント基板との接合が簡単になるという効果を有する。また、本発明によれば、フレキシブルプリント配線板が上記したようにプリント基板の一カ所で接合できるため、プリント基板の小型化を図れるという効果がある。
【００２１】
さらに、本発明は、フレキシブルプリント配線板が、フレキシブル基板と当該フレキシブル基板の同一表面側に形成された配線パターンとを備える構成とすることが好ましい。
【００２２】
このような構成の本発明では、第１突出部と第２突出部とに接合する分岐部分の接合面が同一表面側となり、フレキシブルプリント配線板の利便性がよく、しかもフレキシブルプリント配線板の製造が容易になるという効果がある。
【００２３】
また、本発明は、電気光学材料層が、液晶層であることが好ましい。このような構成の本発明によれば、携帯用情報端末の表示装置の組み付け利便性を向上でき、表示領域の面積比率の増大を図ることで表示視認性を高めることができる。
【００２４】
本発明に係る電子機器は、上記した表示装置と、この表示装置に信号入力を行なう入力部を備え、表示パネルが筺体内に収納され、この筺体に表示パネルの表示領域全体を露呈させる開口部が形成されることを特徴とする。
【００２５】
このような構成の本発明によれば、筺体の開口部の開口面積の比率を高めることが可能となり、表示部を取り囲む枠部分の幅を狭くすることができる。このため、例えばこの電子機器の小型化を進めた場合でも、表示領域が縮小するのを抑制することができ、表示視認性を向上するという効果を有する。
【００２６】
【発明の実施の形態】
以下、この発明に係る表示装置および電子機器の詳細を図面に示す実施形態に基づいて説明する。図１〜図３は、本発明をパッシブマトリクス駆動方式の反射型液晶表示装置に適用した実施形態を示している。
【００２７】
図１に示すように、本実施形態の液晶表示装置２０は、液晶表示パネル２１と、液晶表示パネル２１の隣接する二側縁部の一方に設けられたテープキャリアパッケージ２２と、テープキャリアパッケージ２２の側部および液晶表示パネル２１における他方の側縁部との二カ所で、出力側端子部が分岐して接合されたフレキシブルプリント配線板２３と、このフレキシブルプリント配線板２３の入力側端子部が接合されたプリント基板２４と、から大略構成されている。なお、本実施形態ではテープキャリアパッケージ２２を用いるが、ＣＯＦ（Chip On Flexible printed circuit board）を用いることもできる。
【００２８】
まず、液晶表示パネル２１の構成について説明する。この液晶表示パネル２１は、図１に示すように、相対向して配置された一対のガラス基板２５、２６を有している。これらガラス基板２５、２６の間には、表示領域を周回するように介在されたシール材（図示省略する。）が配置されている。そして、これらガラス基板２５、２６とシール材とで形成される間隙には、図示しない液晶が封止されている。
【００２９】
また、ガラス基板２５の対向内側面（ガラス基板２６と対向する面）には、図１に示すように複数の信号電極２７が平行をなすように形成されている。この信号電極２７は、表示光に対して透明性を有するする例えばＩＴＯ（Indium Tin Oxide）で形成されている。これら信号電極２７は、所定方向（図１において上下方向、Ｘ方向）に沿って、互いに所定間隔を介して配置・形成されている。一方、ガラス基板２６の対向内側面（ガラス基板２５と対向する面）には、上記した信号電極２７と直交する方向（図１において左右方向、Ｙ方向）に沿って複数の走査電極２８が形成されている。この走査電極２８は、表示光を反射する導電材料で形成されている。また、これら走査電極２８は、所定間隔を介して平行をなすように配置されている。すなわち、ガラス基板２５に形成された複数の信号電極２７とガラス基板２６に形成された複数の走査電極２８とは、互いに液晶層など（配向膜を含む）を介して直交する、所謂Ｘ-Ｙマトリクスを構成している。
【００３０】
また、液晶表示パネル２１の所定の側縁部（図１中、下側縁部）においては、ガラス基板２５の縁部がガラス基板２６の縁部より側方（図中、下方）へ突出するように設定されている。また、液晶表示パネル２１の上記した側縁部に隣接する側縁部（図中、左側縁部）においては、ガラス基板２６の縁部がガラス基板２５の縁部より側方（図中、左側）へ突出するように設定されている。
【００３１】
そして、ガラス基板２５の対向内側面における突出領域２５Ａには、信号用ドライバ（Ｘドライバ）ＩＣ２９、３０がＣＯＧ（Chip On Glass）実装されている。これらの信号用ドライバＩＣ２９、３０は、上記した複数の信号電極２７が延在された端子部２７Ａと、ガラス基板２５の突出領域２５Ａの長辺側に配置・形成された複数の接合端子部３１とに接続されている。
【００３２】
一方、ガラス基板２６の対向内側面における突出領域２６Ａには、上記した複数の走査電極２８が延在された端子部２８Ａが、突出領域２６Ａの長辺に沿って配置・形成されている。
【００３３】
テープキャリアパッケージ２２は、例えばポリイミド樹脂などの可撓性を有する絶縁性樹脂でなるベース基材２２１の表面（図１では裏面）に、複数の出力側配線２２２と、複数の入力側配線２２３がパターン形成されている。また、テープキャリアパッケージ２２には、出力側配線２２２と入力側配線２２３との間に走査用ドライバＩＣ３２が介在するように実装されている。なお、図示しないが、これら配線ならびに配線と走査用ドライバＩＣ３２との接続部（ワイヤボンディング部またはバンプ接合部など）は、樹脂モールドにて覆われている。本実施形態では、テープキャリアパッケージ２２における、ガラス基板２５の突出領域２５Ａに近接する短辺２２１Ａに入力側配線２２３の端子部２２３Ａが配置・形成されている。このように、その短辺２２１Ａまで引き回された入力側配線２２３の端子部２２３Ａは、後記するフレキシブルプリント配線板２３の出力側端子部に接続されている。
【００３４】
次に、フレキシブルプリント配線板２３の構成について説明する。図２は、本実施形態の液晶表示装置２０で用いるフレキシブルプリント配線板２３の平面図である。このフレキシブルプリント配線板２３は、可撓性を有する電気絶縁性樹脂でなるフレキシブル基板２３１の一方の表面に、上記したガラス基板２５の突出領域２５Ａに形成された複数の接合端子部３１に接続される複数の信号用配線２３２で構成される群と、上記したテープキャリアパッケージ２２の短辺に形成された複数の端子部２２３Ａに接続される複数の走査用配線２３３で構成される群とが、ともに形成されている。
【００３５】
このフレキシブルプリント配線板２３は、ガラス基板２５の突出領域２５Ａに前端部２３４Ａが接合される幅寸法の長い第１接合部２３４と、この第１接合部２３４の側部から分岐して前方へ突出する幅寸法の短い第２接合部２３５と、第１接合部２３４の後部から後方へ突出して後端部２３６Ａが上記したプリント基板２４に接合される第３接合部２３６と、から構成されている。
【００３６】
第１接合部２３４および第３接合部２３６の表面には、第１接合部の前端部２３４Ａと、第３接合部２３６の後端部２３６Ａとの間に亙って延在され、且つ互いに電気的絶縁が図れる間隔を介して群をなす複数の信号用配線２３２が配置・形成されている。また、第２接合部２３５の前端部２３５Ａから第３接合部２３６の後端部２３６Ａに亙って、電気的絶縁を保持して群をなす複数の走査用配線２３３が延在・配置されている。
【００３７】
このように、本実施形態で用いるフレキシブルプリント配線板２３では、第１接合部２３４と、第２接合部２３５と、第３接合部２３６とにおいて配線（信号用配線２３２と走査用配線２３３）がフレキシブル基板２３１の同一表面側に形成されている。
【００３８】
次に、このような構成のフレキシブルプリント配線板２３と上記した液晶表示パネル２１との接合構造を説明する。図１に示すように、フレキシブルプリント配線板２３は、ガラス基板２６の突出領域２６Ａの長辺部分に接合したテープキャリアパッケージ２２の短辺部分に沿って配置・形成された複数の端子部２２３Ａに対して、第２接合部２３５の前端部２３５Ａに配置・形成された走査用配線２２３が対応するように、図示しない異方性導電フィルム（ＡＣＦ）を介して接合されている。一方、ガラス基板２５の突出領域２５Ａの長辺部に配置・形成された複数の接合端子部３１には、フレキシブルプリント配線板２３の第１接合部２３４の前端部２３４Ａに形成された、信号用配線２３２の端子部が対応するように、同様に異方性導電フィルムを介して接合されている。
【００３９】
プリント基板２４は、図１に示すように、例えば電源用ＩＣなどの各種の電子部品２４１が実装された配線回路を有する。そして、プリント基板２４の側縁部には、フレキシブルプリント配線板２３の第３接合部２３６の後端部２３６Ａの配線端子（信号用配線２３２、走査用配線２３３）に電気的に接続を行なう接続部２４２を備えている。なお、フレキシブルプリント配線板２３の第３接合部２３６の後端部２３６Ａも同様に、図示しない異方性導電フィルムを介して、接続部２４２に接続されている。
【００４０】
なお、本実施形態では、図１に示す２本の一点鎖線ａ、ｂで示す箇所でテープキャリアパッケージ２２およびフレキシブルプリント配線板２３を撓ませてプリント基板２４を液晶表示パネル２１の後方へ配置することができる。
【００４１】
このような構成の本実施形態では、少なくとも一方の突出領域２６Ａの突出寸法を短くすることにより、液晶表示パネル２１全体に対する表示領域の占める面積比率を大きくすることができる。このように表示領域の面積比率を大きくすることにより、表示視認性を高めることができる。また、本実施形態によれば、フレキシブルプリント配線板２３を、液晶表示パネル２１の一方向（ｙ方向）から接合させるものであるため、端子接続プロセスを簡単にできるという効果を有する。さらに、本実施形態によれば、１つのフレキシブルプリント配線板２３を用いて、２つの基板に形成された走査電極２８と信号電極２７とに接続が可能となるため、フレキシブルプリント配線板２３の利便性を高めることができる
また、本実施形態では、２つのガラス基板２５、２６の突出領域２５Ａ、２６Ａの電極端子部に接続された分岐部分を束ねた状態で、フレキシブルプリント配線板２３の入力側端子部を、プリント基板２４の一カ所で接合することができる。このため、フレキシブルプリント配線板２３とプリント基板２４との接合を簡単にすることができる。さらに、このように、フレキシブルプリント配線板２３がプリント基板２４の一カ所で接合できるため、プリント基板２４の小型化を図ることが可能となる。
【００４２】
さらに、本実施形態では、テープキャリアパッケージ２２と突出領域２５Ａとに接合する分岐部分の接合面が同一表面側となり、フレキシブルプリント配線板２３の利便性がよく、しかもフレキシブルプリント配線板２３の製造が容易になる。
【００４３】
次に、図３を用いて本実施形態の液晶表示装置２０を表示部として用いる電子機器としてのノート型のパーソナルコンピュータ４０の構成を説明する。同図に示すように、液晶表示パネル２１が筺体４１に収納され、この筺体４１に形成された開口部４１Ａから液晶表示パネル２１の表示領域から露呈するように構成されている。また、入力部としてのキーボード４２を備えている。このパーソナルコンピュータ４０の表示部においては、表示領域を取り囲む筺体４１の枠部４１の左右両側部の幅寸法を狭くすることができる。すなわち、図１に示すように、ガラス基板２６の突出領域２６Ａは、走査用ドライバＩＣを実装する必要がないため、突出領域２６Ａの突出寸法を短くすることができる。このため、例えばパーソナルコンピュータ４０を小型化した場合に、本実施形態のような液晶表示パネル２１を用いることで、表示領域の液晶表示パネル面積全体に対する比率を向上することができる。そこで、筺体４１の枠部４１Ａの幅寸法を短くすることで、パーソナルコンピュータ４０の表示部の面積比率を向上できる。このように、本実施形態は、パーソナルコンピュータをはじめとする各種電子機器、例えばページャ、液晶テレビ、ビューファインダ、カーナビゲーション装置、電子手帳、電卓、ワードプロセッサ、携帯電話、テレビ電話などの小型化に寄与することができる。
【００４４】
以上、実施形態について説明したが、本発明に係る表示装置および電子機器は、上記した構成に限定されるものではなく、構成の要旨に付随する各種の変更が可能である。例えば、上記した実施形態では、表示装置としてパッシブマトリクス駆動方式の反射型液晶表示装置に本発明を適用して説明したが、ＴＦＤ（Thin Film Diode）素子を画素電極毎に有するアクティブマトリクス駆動方式の液晶表示装置にも本発明を適用することができる。これらの液晶表示装置は、反射型に限定されるものではなく、透過型の液晶表示装置でも勿論よい。また、表示装置としては、この他に、ＥＬ表示装置を適用することができる。このＥＬ表示装置は、電気光学材料として、蛍光材料を含むエレクトロルミネッセンス材料を用いるものであり、走査電極や信号電極などの構成は、液晶表示装置と概ね同様の構成することができる。さらに、上記した実施形態では、信号電極２７を表示光に対して透明性を有する材料で形成し、これを形成したガラス基板２５を前面基板に設定したが、前面基板側に透明性を有する走査電極を形成する構成としても勿論よい。
【００４５】
また、上記した実施形態においては、フレキシブルプリント配線板２３に形成される信号用配線２３２や走査用配線２３３の配置は、液晶表示パネル２１の接合部の配置構成により適宜変更が可能である。
【００４６】
さらに、上記した実施形態おいては、ガラス基板２５の突出領域２５Ａに信号用ドライバＩＣ２９、３９をＣＯＧ実装したが、この突出領域２５Ａに信号電極２８の端子部を配置し、この端子部とフレキシブルプリント配線板２３の第１接合部２３４の前端部２３４Ａとの間に、信号用ドライバＩＣ２９、３０を実装したテープキャリアパッケージを介在させる構成としてもよい。このような構成とした場合は、液晶表示パネル２１全体に対する表示領域の面積比率をより高めることが可能である。
【図面の簡単な説明】
【図１】本発明に係る表示装置の実施形態である液晶表示装置の平面図。
【図２】本実施形態で用いるフレキシブルプリント配線板を示す平面図。
【図３】本発明に係る電子機器の実施形態を示す斜視図。
【図４】従来の液晶表示装置の平面図。
【符号の説明】
２０  液晶表示装置
２１  液晶表示パネル
２２  テープキャリアパッケージ
２３  フレキシブルプリント配線板
２４  プリント基板
２５、２６  ガラス基板
２５Ａ、２６Ａ  突出領域
２７  信号電極
２８  走査電極
２９、３０  信号用ドライバＩＣ
３１  接合端子部
３２  走査用ドライバＩＣ
２２３Ａ  端子部
２３１  フレキシブル基板
２３２  信号用配線
２３３  走査用配線
２３４  第１接合部
２３５  第２接合部
２３６  第３接合部
【図１】
0003757671.tif 000002
【図２】
0003757671.tif 000003
【図３】
0003757671.tif 000004
【図４】
0003757671.tif 000005